(57)【要約】【課題】  収納型ベッドの収納庫に収納されたふとんや寝間着等の収納物を収納したまま乾燥させることができ、特に既に使用しているベッドの収納庫に新たに、取り付けるだけで収納物を乾燥することができる収納庫乾燥装置を提供する。【解決手段】  温風を送風する温風供給ユニット７と、この温風供給ユニット７の温風を流通させる立体格子空間材１０と、この立体格子空間材１０を内在した気密性を有する袋状の空気流通マット５と、前記温風供給ユニット７と空気流通マット５とを連結して立体格子空間材１０に温風を送風するための連結手段８とを備え、前記空気流通マット５をコの字形に折り畳んだ状態において上下の対向する面の一部に複数の開口部１２ａ、１２ｂを設けた。【選択図】  図３
2005296163.tif 000002
【特許請求の範囲】
【請求項１】
温風を送風する温風供給ユニット（７）と、この温風供給ユニット（７）の温風を流通させる立体格子空間材（１０）と、この立体格子空間材（１０）を内在した気密性を有する袋状の空気流通マット（５）と、前記温風供給ユニット（７）と空気流通マット（５）とを連結して立体格子空間材（１０）に温風を送風するための連結手段（８）とを備え、前記空気流通マット（５）をコの字形に折り畳んだ状態において上下の対向する面の一部に複数の開口部（１２ａ）、（１２ｂ）を設けたことを特徴とする収納庫乾燥装置。
【発明の詳細な説明】
【技術分野】
【０００１】
本発明はベッド等の収納庫にふとんや寝間着等の収納物を収納したまま簡単に収納物を乾燥させることができる収納庫乾燥装置に関するものである。
【背景技術】
【０００２】
従来のベッドの収納庫にふとんや寝間着等を収納することができる収納型ベッドは、収納型ベッドの側板と、ベッドボードと、フットボードと、底板と、天板とにより収納庫が形成され、天板を跳ね上げることにより、内部の収納庫にふとんや寝間着等の収納物を収納することはできたが、乾燥装置が組み込まれていないため収納物が梅雨時等に湿気った場合は、いちいち収納物を取り出し天日干しするか、乾燥機に入れ乾燥しなければならないものであった（例えば、特許文献１参照）。
【０００３】
また、ふとんを乾燥させるため、押し入れ内の空間を有効に活用して押し入れに収納した状態で乾燥できるように押し入れの棚板下部に乾燥装置を設置し、棚板に載置したふとんを畳んだまま除湿乾燥するものがある（例えば、特許文献２参照）。
【０００４】
【特許文献１】特開２００１−６１６００号公報
【０００５】
【特許文献２】特開平５−３３７２９１号公報
【発明の開示】
【発明が解決しようとする課題】
【０００６】
しかしながら、上記の従来技術において、前者のものは、収納型ベッドの収納庫に乾燥装置が組み込まれていないため、収納物を乾燥するには天日干しするか、乾燥機に入れて乾燥するしかなかったが、収納物が湿気るのは梅雨時が多く、天日干しができない日が多いため乾燥機を必要とすることが多々あった。
【０００７】
また、収納型ベッドの収納物はふとん等大型のものが多いため、家庭用の乾燥機に入れて乾燥することは困難であり、大きな乾燥機に収納して乾燥する必要があり、乾燥が大変面倒なものであった。
【０００８】
また、ふとんが羽毛ふとんの場合は、湿気を持つと変色したり、臭いを持つ場合があり、簡単に手軽に乾燥できるものが望まれていた。
【０００９】
後者のものは、押し入れ内のふとんを乾燥させるものであり、これを収納型ベッドに取り付けようとしても、押し入れと構造が異なるため取り付けができないものであった。
【課題を解決するための手段】
【００１０】
本発明は上記の問題を解決するためになされたものであり、温風を送風する温風供給ユニットと、この温風供給ユニットの温風を流通させる立体格子空間材と、この立体格子空間材を内在した気密性を有する袋状の空気流通マットと、前記温風供給ユニットと空気流通マットとを連結して立体格子空間材に温風を送風するための連結手段とを備え、前記空気流通マットをコの字形に折り畳んだ状態において上下の対向する面の一部に複数の開口部を設けたものである。
【発明の効果】
【００１１】
本発明の収納庫乾燥装置は、上記のように構成したことにより、収納庫乾燥装置の空気流通マットをベッド本体の収納庫に挿入載置して温風供給ユニットと接続し、温風を供給することで、収納庫にふとん等の収納物を収納したまま乾燥することができる。
【００１２】
また、空気流通マットをコの字形に折り曲げ、その内部に収納物を入れることにより、収納物を覆うことができるため、開口部から吹き出される乾燥空気を簡単に室内に放出することなく、収納庫内に滞留させることができるため収納物を確実に乾燥させることができる。
【００１３】
また、空気流通マットからの乾燥空気は収納物の上と下から吹き出すため、収納物を包み込むように乾燥空気を行き渡らすことができ、収納物をまんべんなく乾燥することができる。
【００１４】
また、収納庫の蓋である天板を開けたままでもふとん等の収納物を乾燥させることができるため、ベッド本体に温風ユニットからの温風を供給するための穴などを設ける必要がなく、既に使用しているベッドの収納庫に新たに、空気流通マットを取り付けるだけで、収納庫内の収納物の乾燥が簡単にできることから非常に便利である。
【００１５】
また、立体格子空間材の厚さを必要最小限の空気の流通量が確保できる厚さ（５〜２０ｍｍ）にすれば、余分な空間を取ることがないため、収納物を入れる空間を奪わず、収納庫に入れっぱなしにして使用することができ、温風ユニットを接続するだけで、いつでも簡単に収納物を乾燥することができるため大変便利である。
【００１６】
さらに、空気流通マットを気密性のある繊維の織物で袋状とし、立体格子空間材をナイロン等の糸を多数編み込んで構成したことにより、使用しない時は空気流通マットを収納庫より取り出して、折り畳めば場所を取らず保管することができる。
【発明を実施するための最良の形態】
【００１７】
以下、本発明の一実施例を図１〜図７を参照して説明する。図１は本発明の一実施例を示す収納庫乾燥装置を収納して使用する収納型ベッドの斜視図、図２は同じく収納庫乾燥装置を収納して使用する収納型ベッドに収納物を入れた状態の斜視図、図３は同じく収納庫乾燥装置を収納型ベッドの収納庫内に収納した状態を示す斜視図、図４は図３のＡ−Ａ断面を示す縦断面図、図５は本発明の一実施例を示す空気流通マットの平面図、図６は同じく空気流通マットの縦断面図、図７は同じく空気流通マットをコの字形に折り曲げた状態の縦断面図である。
【００１８】
図において、１は収納型のベッド本体で、内部に収納庫３を有している。２は天板で、図２に示すように天板２を跳ね上げることで収納庫３内にふとんや寝間着等の収納物４を収納でき、収納した後、天板２を閉めればそのままベッドとして使用することができるものである。
【００１９】
５は空気流通マットで、気密性のある繊維の織物で構成され、袋状に形成したものであり、内部に空気流通路を有していて、図３、図７に示すようにコの字形に折り曲げられ、そのコの字の内側に収納物４であるふとん等が挿入される。
【００２０】
６は連結管で、空気流通マット５に設けられていて、収納庫３の外に設置される後記する温風供給ユニット７の連結手段８と連結される。
【００２１】
７は温風供給ユニットで、ヒータにより加熱した空気をファンにより後記するホース８を通して空気流通マット５の空気流通路に温風を送風するものである。
【００２２】
８は連結手段で、ホースで構成されていて温風供給ユニット７と空気流通マット５の連結管６とを連結することができるものであり、詳細は連結手段８であるホースを連結管６に差し込み、連結管６の端部に設けられているマジックテープで連結管６の首を締め付けて固定し、簡単に抜け落ちることないようにするとともに温風が洩れないようにしている。
【００２３】
９は温風で、温風供給ユニット７から連結管６を通して空気流通マット５に供給される状態を表している。
【００２４】
１０は立体格子空間材で、空気流通マット５に内在していて、ナイロン等の糸を多数編み込んだ構成となっていて、これにより空気層が連通して形成されて空気が流通できるものであり、これで空気流通路を形成している。そして、この立体格子空間材１０はふとんや寝間着等の収納物４の重さに耐え、容易につぶれることがないような強度を有している。なお、立体格子空間材１０の厚さは収納庫３の広さと収納物４の重量を勘案して、必要最小限の空気の流通量が確保できるような厚さである５〜２０ｍｍが適当である。
【００２５】
１１は空気流通マット５内の乾燥空気の流れを表している。
【００２６】
１２ａ、１２ｂは空気流通マット５に設けられた開口部で、空気流通マット５をコの字形に折り曲げて、収納庫３に組み込んだ際、収納庫３の上側および下側の対向する面に位置するように設けられている。そして、この開口部１２ａ、１２ｂは通気性のある生地で縫われている構成となっていて、ここから立体格子空間材１０の連通している空気層を通った温風９が乾燥空気１１として収納庫３内に吹き出され、収納物４に吹き付けられ、収納物４を乾燥させることができる。
【００２７】
本発明は以上の構成よりなり、次にその作用を説明する。
【００２８】
空気流通マット５の一端をベッド本体１の収納庫３の下側に挿入し、その上に収納物４であるふとんを載せ、その状態で更に、空気流通マット５の他端を収納庫３側に折り曲げ収納物４であるふとんを覆い、温風供給ユニット７と空気流通マット５の連結管６を連結手段８で接続する。
【００２９】
そして、温風供給ユニット７を運転することにより空気流通マット５内の立体格子空間材１０に温風９を送風して、収納物４であるふとんを覆うように乾燥空気１１を送風する。
【００３０】
そして、空気流通マット５に立体格子空間材１０が内在していることで、空気流通マット５の上に収納物４であるふとん等の重量のあるものを置いても、空気流通マット５内の空気流通路を確保できるため空気流通マット５の開口部１２ａ、１２ｂから乾燥空気１１を収納庫３内に送風されて収納物４が乾燥することができる。
【００３１】
そして、開口部１２ａ、１２ｂがあることで、袋状の空気流通マット５に温風９を送り込んでも、袋が膨らんで収納物４を押し上げることはない。
【００３２】
そして、このように空気流通マット５をコの字形に折り曲げて、その内部空間に収納物４を入れて、収納物４を覆うように被せることができるため、乾燥空気１１が簡単に収納庫３外の室内に放出されることが防止され、収納庫３内に乾燥空気１１を滞留させることができることにより、乾燥空気の熱を有効に利用して収納物４を乾燥させることができる。
【００３３】
このように、収納庫乾燥装置の空気流通マット５をベッド本体１の収納庫３に挿入載置して温風供給ユニット７と接続し、温風を供給することで、収納庫３にふとん等の収納物４を収納したまま乾燥することができる。
【００３４】
また、空気流通マット５をコの字形に折り曲げ、その内部に収納物４を入れることにより、収納物４を覆うことができるため、開口部１２ａ、１２ｂから吹き出される乾燥空気１１を簡単に室内に放出することなく、収納庫３内に滞留させることができるため収納物４を確実に乾燥させることができる。
【００３５】
また、空気流通マット５からの乾燥空気１１は収納物４の上と下から吹き出すため、収納物４を包み込むように乾燥空気１１を行き渡らすことができ、収納物４をまんべんなく乾燥することができる。
【００３６】
また、収納庫３の蓋である天板２を開けたままでもふとん等の収納物４を乾燥させることができるため、ベッド本体１に温風ユニット７からの温風９を供給するための穴などを設ける必要がなく、既に使用しているベッドの収納庫３に新たに、空気流通マット５を取り付けるだけで、収納庫３内の収納物４の乾燥が簡単にできることから非常に便利である。
【００３７】
また、立体格子空間材１０の厚さを必要最小限の空気の流通量が確保できる厚さ（５〜２０ｍｍ）にすれば、余分な空間を取ることがないため、収納物４を入れる空間を奪わず、収納庫３に入れっぱなしにして使用することができ、温風ユニット７を接続するだけで、いつでも簡単に収納物４を乾燥することができるため大変便利である。
【００３８】
さらに、空気流通マット５を気密性のある繊維の織物で袋状とし、立体格子空間材１０をナイロン等の糸を多数編み込んで構成したことにより、使用しない時は空気流通マット５を収納庫３より取り出して、折り畳めば場所を取らず保管することができる。
【図面の簡単な説明】
【００３９】
【図１】本発明の一実施例を示す収納庫乾燥装置を収納して使用する収納型ベッドの斜視図である。
【図２】同じく収納庫乾燥装置を収納して使用する収納型ベッドに収納物を入れた状態の斜視図である。
【図３】同じく収納庫乾燥装置を収納型ベッドの収納庫内に収納した状態を示す斜視図である。
【図４】図３のＡ−Ａ断面を示す縦断面図である。
【図５】本発明の一実施例を示す空気流通マットの平面図である。
【図６】同じく空気流通マットの縦断面図である。
【図７】同じく空気流通マットをコの字形に折り曲げた状態の縦断面図である。
【符号の説明】
【００４０】
５  空気流通マット
７  温風供給ユニット
８  連結手段
１０  立体格子空間材
１２ａ、１２ｂ  開口部
【図１】
2005296163.tif 000003
【図２】
2005296163.tif 000004
【図３】
2005296163.tif 000005
【図４】
2005296163.tif 000006
【図５】
2005296163.tif 000007
【図６】
2005296163.tif 000008
【図７】
2005296163.tif 000009